(57)【要約】【課題】地図画像の活用範囲を広げる。【解決手段】携帯電話４０は、カメラ４２により撮像された撮像画像と撮像時にＧＰＳ４３により測定された撮像場所および電子コンパス４４により測定された撮像方向とをインターネット３０を介して画像管理装置２０に送信する。画像管理装置２０は、受信した撮像画像を撮像場所と撮像方向とに関連付けて撮像画像データベース２８に登録する。インターネット３０に接続されたクライアントコンピュータ５０ａ，５０ｂから地図画像の配信要求があると、撮像画像に関連付けてアイコンを生成すると共に撮像場所に該当する地図画像の座標上にアイコンを重ねて貼り付けて配信要求元のクライアントコンピュータ５０ａ，５０ｂに向けて配信する。これにより個人的に撮像された画像を地図画像に貼り付けて配信させることができるから、地図画像の活用範囲を広げることができる。【選択図】        図１
2004266636.tif 000002
【特許請求の範囲】
【請求項１】
ネットワークに接続された端末装置に配信する画像を管理する画像管理装置であって、
地図画像を記憶する地図画像記憶手段と、
撮像位置が設定された撮像画像をネットワークを介して受け付けて記憶する画像受付記憶手段と、
該記憶された撮像画像に設定された撮像位置と前記地図画像記憶手段に記憶された地図画像の座標とを対応させて該撮像画像を該地図画像に設定する画像設定手段と
前記端末装置からの配信要求に基づいて前記撮像画像が設定された地図画像を配信する画像配信手段と
を備える画像管理装置。
【請求項２】
請求項１記載の画像管理装置であって、
前記画像受付記憶手段は、更に撮像方向が設定された撮像画像を受け付けて記憶する手段であり、
前記画像設定手段は、前記撮像方向を前記撮像画像と共に前記地図画像に設定する手段であり、
前記画像配信手段は、前記撮像方向が前記撮像画像と共に設定された地図画像を配信する手段である
画像管理装置。
【請求項３】
請求項１または２記載の画像管理装置であって、
前記画像受付記憶手段は、更に撮像を行なった撮像装置を識別する識別情報が設定された撮像画像を受け付けて記憶する手段であり、
前記画像設定手段は、前記端末装置からの前記識別情報の指定を伴う要求に基づいて、前記記憶された撮像画像のうち前記指定に係る識別情報が設定された撮像画像を前記地図画像に設定する手段である
画像管理装置。
【請求項４】
請求項１ないし３いずれか記載の画像管理装置であって、
前記画像受付記憶手段は、更に画像の分類が設定された撮像画像を受け付けて記憶する手段であり、
前記画像設定手段は、前記端末装置からの前記画像の分類の指定を伴う要求に基づいて、前記記憶された撮像画像のうち前記指定に係る分類に属する撮像画像を前記地図画像に設定する手段である
画像管理装置。
【請求項５】
請求項１ないし４いずれか記載の画像管理装置であって、
前記画像受付記憶手段は、現在位置の測定が可能で前記ネットワークに接続可能な撮像装置により撮像されて該ネットワークを介して送信された前記撮像画像を受け付けて記憶する手段である
画像管理装置。
【請求項６】
請求項２に係る請求項５記載の画像管理装置であって、
前記画像受付記憶手段は、更に撮像方向の測定が可能な撮像装置により撮像されて前記ネットワークを介して送信された前記撮像画像を受け付けて記憶する手段である
画像管理装置。
【請求項７】
請求項５または６記載の画像管理装置であって、
前記撮像装置は、携帯電話である
画像管理装置。
【請求項８】
コンピュータを、請求項１ないし７いずれか記載の画像管理装置として機能させるプログラム。
【請求項９】
ネットワークに接続された端末装置に配信する画像を管理する画像管理方法であって、
（ａ）撮像位置が設定された撮像画像を前記ネットワークを介して受け付け、
（ｂ）該受け付けられた撮像画像に設定された位置情報と記憶している地図画像の座標とを対応させて該撮像画像を該地図画像に設定し、
（ｃ）前記端末装置からの配信要求に基づいて前記撮像画像が設定された地図画像を配信する
画像管理方法。
【発明の詳細な説明】
【０００１】
【発明の属する技術分野】
本発明は、画像管理装置およびこれを用いるプログラム並びに画像管理方法に関し、詳しくは、ネットワークに接続された端末装置に配信する画像を管理する画像管理装置および上記画像管理装置に用いられるプログラム並びにネットワークに接続された端末装置に配信する画像を管理する画像管理方法に関する。
【０００２】
【従来の技術】
従来より、銀行や飲食店等を示すアイコンが貼り付けられた地図画像をインターネットを介してクライアントコンピュータに配信するＷｅｂサーバが提案されている（特許文献１参照）。このＷｅｂサーバでは、クライアントコンピュータから地図画像の表示エリアが指定されると、指定されたエリア内に存在するアイコン（例えば、銀行の支店を示すアイコン）が貼り付けられた地図画像をクライアントコンピュータに表示出力し、更に地図画像内の所望のアイコンがクリックされると、そのアイコンに対応する詳細画面（例えば、銀行の支店の住所や営業時間，写真など）をクライアントコンピュータに対して表示出力している。
【０００３】
【特許文献１】
特開平１１−１４９４８３号公報
【０００４】
【発明が解決しようとする課題】
しかしながら、こうしたＷｅｂサーバでは、予め登録している画像しか地図上に表示させることができない。近年、デジタルカメラやカメラ機能付きの携帯電話などが広く普及してきており、デジタルカメラやカメラ機能付きの携帯電話で撮影された画像についても地図上に貼り付けて広く活用されることが望まれている。
【０００５】
本発明の画像管理装置および画像管理方法は、こうした問題を解決し、地図画像の活用範囲をより広げることを目的の一つとする。また、本発明のプログラムは、コンピュータを地図画像の活用範囲をより広げる画像管理装置として機能させることを目的の一つとする。
【０００６】
【課題を解決するための手段およびその作用・効果】
本発明の画像管理装置およびこれに用いられるプログラム並びに画像管理方法は、上述の目的の少なくとも一部を達成するために以下の手段を採った。
【０００７】
本発明の画像管理装置は、
ネットワークに接続された端末装置に配信する画像を管理する画像管理装置であって、
地図画像を記憶する地図画像記憶手段と、
撮像位置が設定された撮像画像をネットワークを介して受け付けて記憶する画像受付記憶手段と、
該記憶された撮像画像に設定された撮像位置と前記地図画像記憶手段に記憶された地図画像の座標とを対応させて該撮像画像を該地図画像に設定する画像設定手段と
前記端末装置からの配信要求に基づいて前記撮像画像が設定された地図画像を配信する画像配信手段と
を備えることを要旨とする。
【０００８】
この本発明の画像管理装置では、撮像位置が設定された撮像画像をネットワークを介して受け付けて記憶し、記憶された撮像画像に設定された撮像位置と記憶されている地図画像の座標とを対応させてその撮像画像をその地図画像に設定し、ネットワークに接続された端末装置からの配信要求に基づいて撮像画像が設定された地図画像を配信する。これにより、ネットワークに接続された端末装置は、個人的に撮像した撮像画像が設定された地図画像の配信を受けることができるから、地図画像の活用範囲をより広げることができる。ここで、「撮像画像を地図画像に設定」とは、撮像画像を直接地図画像に設定するものの他、アイコンなどのマークを撮像画像に関連付けた状態でこのマークを地図画像に設定するものも含まれる（以下同じ）。
【０００９】
こうした本発明の画像管理装置において、前記画像受付記憶手段は、更に撮像方向が設定された撮像画像を受け付けて記憶する手段であり、前記画像設定手段は、前記撮像方向を前記撮像画像と共に前記地図画像に設定する手段であり、前記画像配信手段は、前記撮像方向が前記撮像画像と共に設定された地図画像を配信する手段であるものとすることもできる。こうすれば、ネットワークに接続された端末装置は、撮像画像の撮像方向も知ることができるから、地図画像の活用範囲をより広げることができる。
【００１０】
また、本発明の画像管理装置において、前記画像受付記憶手段は、更に撮像を行なった撮像装置を識別する識別情報が設定された撮像画像を受け付けて記憶する手段であり、前記画像設定手段は、前記端末装置からの前記識別情報の指定を伴う要求に基づいて前記記憶された撮像画像のうち前記指定に係る識別情報が設定された撮像画像を前記地図画像に設定する手段であるものとすることもできる。こうすれば、ネットワークに接続された端末装置は、所望の撮像装置により撮像された撮像画像のみが設定された地図画像の配信を受けることができる。
【００１１】
さらに、本発明の画像管理装置において、前記画像受付記憶手段は、更に画像分類が設定された撮像画像を受け付けて記憶する手段であり、前記画像設定手段は、前記端末装置からの前記画像の分類の指定を伴う要求に基づいて前記記憶された撮像画像のうち前記指定に係る画像の分類に属する撮像画像を前記地図画像に設定する手段であるものとすることもできる。こうすれば、ネットワークに接続された端末装置は、所望の分類の撮像画像のみが設定された地図画像の配信を受けることができる。
【００１２】
また、本発明の画像管理装置において、前記画像受付記憶手段は、現在位置の測定が可能で前記ネットワークに接続可能な撮像装置により撮像されて該ネットワークを介して送信された前記撮像画像を受け付けて記憶する手段であるものとすることもできる。こうすれば、撮像装置により撮像された撮像画像をネットワークを介して直接受け付けて画像の配信のために記憶しておくことができる。この態様であって撮像方向が設定された撮像画像を受け付ける態様の本発明の画像管理装置であって、前記画像受付記憶手段は、更に撮像方向の測定が可能な撮像装置により撮像されて前記ネットワークを介して送信された前記撮像画像を受け付けて記憶する手段であるものとすることもできる。こうすれば、撮像画像の撮像方向を自動的に受け付け記憶しておくことができる。これらの態様の本発明の画像管理装置において、前記撮像装置は、携帯電話であるものとすることもできる。
【００１３】
本発明のプログラムは、
コンピュータを、上記各態様のいずれかに記載の本発明の画像管理装置として機能させること、即ち、基本的には、コンピュータを、ネットワークに接続された端末装置に配信する画像を管理する画像管理装置であって、地図画像を記憶する地図画像記憶手段と、撮像位置が設定された撮像画像をネットワークを介して受け付けて記憶する画像受付記憶手段と、該記憶された撮像画像に設定された撮像位置と前記地図画像記憶手段に記憶された地図画像の座標とを対応させて該撮像画像を該地図画像に設定する画像設定手段と、前記端末装置からの配信要求に基づいて前記撮像画像が設定された地図画像を配信する画像配信手段とを備える画像管理装置として機能させることを要旨とする。
【００１４】
この本発明のプログラムでは、コンピュータを本発明の画像管理装置として機能させるから、本発明の画像管理装置が奏する効果と同様の効果、例えば、地図画像の活用範囲をより広げることができる等の効果を奏することができる。
【００１５】
本発明の画像管理方法は、
ネットワークに接続された端末装置に配信する画像を管理する画像管理方法であって、
（ａ）撮像位置が設定された撮像画像をネットワークを介して受け付け、
（ｂ）該受け付けられた撮像画像に設定された位置情報と記憶している地図画像の座標とを対応させて該撮像画像を該地図画像に設定し、
（ｃ）前記端末装置からの配信要求に基づいて前記撮像画像が設定された地図画像を配信することを要旨とする。
【００１６】
この本発明の画像管理方法では、撮像位置が設定された撮像画像をネットワークを介して受け付けて記憶し、記憶された撮像画像に設定された撮像位置と記憶されている地図画像の座標とを対応させてその撮像画像をその地図画像に設定し、ネットワークに接続された端末装置からの配信要求に基づいて撮像画像が設定された地図画像を配信する。これにより、ネットワークに接続された端末装置は、個人的に撮像した撮像画像が設定された地図画像の配信を受けることができるから、地図画像の活用範囲をより広げることができる。
【００１７】
【発明の実施の形態】
次に、本発明の実施の形態を実施例を用いて説明する。図１は、本発明の一実施例である画像管理装置２０を含む画像登録配信システムの構成の概略を示す構成図である。画像登録配信システムは、図示するように、実施例の画像管理装置２０と撮像画像をデジタルデータとして記録するカメラ４２を搭載する携帯電話４０とクライアントコンピュータ５０ａ，５０ｂとがインターネット３０を介して接続されて構成されている。実施例の画像管理装置２０は、携帯電話４０のカメラ４２により撮像されインターネット３０を介して送信されてきた撮像画像を登録したり、登録した撮像画像を地図画像に貼り付けてインターネット３０に接続されたクライアントコンピュータ５０ａ，５０ｂや携帯電話４０に配信したりする画像登録サイトや画像配信サイトを提供するＷｅｂサーバとして構成されており、ＣＰＵ２２やＲＯＭ２３，ＲＡＭ２４等の一般のコンピュータが備えるものの他、地図画像が記憶されている地図画像データベース２６や携帯電話４０のカメラ４２により撮像された撮像画像をインターネット３０を介して受け付けて登録するための撮像画像データベース２８を備えている。
【００１８】
携帯電話４０は、前述のカメラ４２の他、衛星からの電波を受信して現在位置を把握するＧＰＳ（Ｇｌｏｂａｌ  Ｐｏｓｉｔｉｏｎｉｎｇ  Ｓｙｓｔｅｍ  ）４３や携帯電話４０の向いている方向を把握する電子コンパス４４を備えており、撮像の際にＧＰＳ４３や電子コンパス４４により撮像場所（経度，緯度）や撮像方向（東，西，南，北）を検出して撮像画像と共に実施例の画像形成装置２０に送信できるようになっている。また、携帯電話４０には、Ｗｅｂサーバ（実施例の画像管理装置２０）により提供されるＷｅｂページを閲覧するためのブラウザ４５がインストールされている。
【００１９】
クライアントコンピュータ５０ａ，５０ｂは、図示しないＣＰＵやＲＯＭ，ＲＡＭ等からなるパーソナルコンピュータとして構成されており、Ｗｅｂサーバ（実施例の画像管理装置２０）により提供されるＷｅｂページを閲覧するためのブラウザ５２ａ，５２ｂが各々インストールされている。尚、クライアントコンピュータ５０ａには、ブラウザ５２ａによりディスプレイに表示されたＷｅｂページ等を印刷するためのプリンタ６０も接続されており、プリンタドライバがインストールされている。勿論、クライアントコンピュータ５０ｂにプリンタを接続してもよいし、クライアントコンピュータ５０ａ，５０ｂのいずれにもプリンタを接続しないものとしてもよい。
【００２０】
次に、こうして構成された実施例の画像管理装置２０により実行される処理について説明する。実施例の画像管理装置２０により実行される処理としては、図２に例示する画像登録処理や図５に例示する画像配信処理がある。以下、これらの処理を順に説明する。
【００２１】
図２は、実施例の画像管理装置２０のＣＰＵ２２により実行される画像登録処理の一例を示すフローチャートである。この処理は、実施例の画像管理装置２０（Ｗｅｂサーバ）の提供する画像登録サイトにアクセスした携帯電話４０から撮像画像を登録したい旨の要求を受信したときに実行される。画像登録処理が実行されると、実施例の画像管理装置２０のＣＰＵ２２は、携帯電話４０の表示画面に表示させる画像登録フォームを送信する処理を行なう（ステップＳ１００）。図３は、携帯電話４０の表示画面に表示される画像登録フォームの一例を示す図である。画像登録フォームは、図３に示すように、登録する撮像画像を指定する画像ファイル名を入力するための撮像画像の覧と、必要に応じて撮像画像が属する画像の分類としてのカテゴリ（例えば、グルメやレジャー，ショッピング等のカテゴリ）を予め設定されている複数のカテゴリの中から選択的に入力するためのカテゴリの覧や携帯電話４０のユーザを識別する識別情報を入力するためのユーザＩＤの覧やその他メッセージを入力するためのメッセージの覧からなる撮像条件の覧とにより構成されている。各覧にカーソルを合わせて入力を行ない、入力後にカーソルを「登録」に合わせて図示しない決定ボタンを押すと、入力内容がインターネット３０を介して実施例の画像管理装置２０に送信される。携帯電話４０により撮像画像と撮像条件とが送信されると、送信された撮像画像と撮像条件とを受信し（ステップＳ１０２）、受信した撮像画像と撮像条件とを撮像画像データベース２８に登録して（ステップＳ１０４）、処理を終了する。撮像画像データベース２８に登録されるデータの一例を図４に示す。撮像画像データベース２８に登録されるデータとしては、図示するように、画像ファイルやユーザＩＤ、カテゴリ、撮像場所、撮像方向、メッセージなどがある。
【００２２】
図５は、実施例の画像管理装置２０のＣＰＵ２２により実行される画像配信処理の一例を示すフローチャートである。この処理は、実施例の画像管理装置２０の提供する画像配信サイトにアクセスしたクライアントコンピュータ５０ａ，５０ｂや携帯電話４０から地図画像を表示画面に表示したい旨の要求を受信したときに実行される。実施例では、クライアントコンピュータ５０ａ，５０ｂの表示画面に地図画像を表示する場合を例に説明するが、携帯電話４０からの要求により携帯電話４０の表示画面に地図画像を表示するものとしてもよいことは勿論である。画像配信処理が実行されると、実施例の画像管理装置２０のＣＰＵ２２は、表示条件入力画面を対応するクライアントコンピュータ５０ａ，５０ｂに送信する処理を行なう（ステップＳ２００）。クライアントコンピュータ５０ａ，５０ｂの表示画面に表示される表示条件入力画面の一例を図６に示す。表示条件の入力は、図示するように、地図画像の表示地域や撮像画像のカテゴリ、ユーザＩＤを各覧に入力することにより行なわれる。尚、図６に示すように、カテゴリについては複数のカテゴリを同時に入力できるようになっている。各覧が入力され「表示」ボタンがクリックされると、表示条件がインターネット３０を介して実施例の画像管理装置２０に送信される。
【００２３】
表示条件が送信されると、送信された表示条件を受信し（ステップＳ２０２）、この表示条件に含まれる表示地域から配信すべき地図画像の領域を設定する（ステップＳ２０４）。続いて、この設定された地図画像の領域内（経度と緯度とにより規定される領域内）を撮像場所とする撮像画像であって且つ表示条件に含まれるカテゴリ，ユーザＩＤが一致する撮像画像を撮像画像データベース２８から検索し（ステップＳ２０６）、検索された撮像画像に関連付けてアイコンを生成する処理を行なう（ステップＳ２０８）。アイコンの生成は、実施例では、カテゴリ毎に対応するカテゴリアイコン（例えば、カテゴリ「グルメ」に対応するグルメアイコンやカテゴリ「レジャー」に対応するレジャーアイコン，カテゴリ「ショッピング」に対応するショッピングアイコンなど）と、撮像方向毎に対応する方向アイコン（例えば、撮像方向「北」に対応する北アイコンや撮像方向「東」に対応する東アイコンなど）とを地図画像データベース２６に記憶しておき、ステップＳ２０６により検索された撮像画像に設定されているカテゴリと撮像方向とから対応するカテゴリアイコンと方向アイコンとを検索することにより行なわれるものとした。こうしてアイコンが生成されると、生成されたアイコンを撮像場所に対応する地図画像の座標位置に重ねて貼り付け（ステップＳ２１０）、アイコンが貼り付けられた地図画像を対応するクライアントコンピュータ５０ａ，５０ｂに配信する処理を行なって（ステップＳ２１２）、処理を終了する。
【００２４】
図７は、クライアントコンピュータ５０ａ，５０ｂに配信される地図画像表示画面７０の一例を示す説明図である。地図画像表示画面７０は、図７に示すように、カテゴリに対応するカテゴリアイコン７４と共に撮像方向を表わす方向アイコン７６が地図画像７２に貼り付けられて構成されている。こうしたアイコンは、撮像画像と関連付けられており、アイコンの領域内をクリックすることにより、アイコンに関連付けられた撮像画像を含む詳細画像表示画面として実施例の画像管理装置２０からクライアントコンピュータ５０ａ，５０ｂへ表示出力されるようになっている。図８は、クライアントコンピュータ５０ａ，５０ｂに表示出力される詳細画像表示画面の一例を示す説明図である。図８に示すように、詳細画像表示画面には、地図画像や、撮像画像，カテゴリ、撮像場所、撮像方向、ユーザＩＤ、メッセージが表示される。尚、こうして表示出力された地図画像表示画面や詳細画像表示画面は、クライアントコンピュータ５０ａに接続されたプリンタ６０を用いて印刷することができる。
【００２５】
以上説明した実施例の画像管理装置２０によれば、カメラ４２とＧＰＳ４３とを有する携帯電話４０により撮像された撮像位置を含む撮像画像をインターネット３０を介して受け付けて登録すると共にクライアントコンピュータ５０ａ，５０ｂからの配信要求に基づいて登録された撮像画像（アイコン）を地図画像に設定して配信することができる。この結果、個人的に撮像された画像を地図画像に設定して活用することができる。しかも、地図画像の表示条件としてカテゴリが入力されたときには入力されたカテゴリに属する撮像画像のみを地図画像に設定して表示出力させたり、地図画像の表示条件としてユーザＩＤが入力されたときには入力されたユーザＩＤが設定されている撮像画像のみを地図画像に設定して表示出力させたりすることができる。この結果、前者では、所望のカテゴリに属する画像のみを地図画像上に重ねて表示させることができ、後者では、携帯電話４０のユーザ本人が携帯電話４０で撮像した画像を確認したり、携帯電話４０のユーザからユーザＩＤを取得した友人のコンピュータ間などの特定のグループ内で携帯電話４０で撮像した画像を共有したりすることができる。
【００２６】
ここで、地図画像を記憶する地図画像データベース２６が地図画像記憶手段に相当し、図２の画像登録処理を行なうＣＰＵ２２や携帯電話４０からのインターネット３０を介して受信された撮像画像を記憶するための撮像画像データベース２８などが画像受付記憶手段に相当し、図５の画像配信処理を行なうＣＰＵ２２などが画像配信手段に相当する。
【００２７】
実施例の画像管理装置２０では、画像を分類するカテゴリを撮像画像と共に携帯電話４０から受信して登録しておき、クライアントコンピュータ５０ａ，５０ｂなどにより地図画像の表示条件としてカテゴリが指定されたときには指定されたカテゴリに属する撮像画像のみを地図画像に設定して配信するものとしたが、表示条件としてカテゴリを指定できないものとするものとしても構わない。この場合、撮像画像の登録を要請する携帯電話４０は、カテゴリを送信しないものとしても構わない。
【００２８】
実施例の画像管理装置２０では、携帯電話４０のユーザを識別するユーザＩＤを撮像画像と共に携帯電話４０から受信して登録しておき、クライアントコンピュータ５０ａ，５０ｂにより地図画像の表示条件としてカテゴリが指定されたときには指定されたユーザＩＤが設定された撮像画像のみを地図画像に設定して配信するものとしたが、表示条件としてユーザＩＤを指定できないものとしても構わない。この場合、撮像画像の登録を要請する携帯電話４０は、ユーザＩＤを送信しないものとしても構わない。
【００２９】
実施例の画像管理装置２０では、撮像方向に関する方向情報を撮像画像と共に携帯電話４０から受信して登録しておき、登録された方向情報を撮像画像と共に地図画像に設定してクライアントコンピュータ５０ａ，５０ｂに表示出力するものとしたが、撮像方向に関する情報は表示出力しないものとしても構わない。この場合、携帯電話４０は電子コンパス４４を備えないものとしても構わない。
【００３０】
実施例の画像管理装置２０では、インターネット３０に接続可能でカメラ４２とＧＰＳ４３とを有する携帯電話４０からの撮像画像を撮像画像データベース２８に登録して画像の配信に供するものとしたが、携帯電話４０に限られず、画像管理装置２０と通信可能でＧＰＳ機能とカメラ機能とを有するその他の携帯情報端末（ＰＤＡ）により撮像された撮像画像を登録するものとしてもよい。或いは、若干利便性に劣るが、ＧＰＳ機能を有するデジタルカメラにより撮像され画像管理装置２０と通信可能なコンピュータを用いて送信された撮像画像を登録するものとしても構わない。
【００３１】
実施例の画像管理装置２０では、撮像画像に関連付けられたアイコンを地図画像上に貼り付けるものとしたが、撮像画像そのものを地図画像上に貼り付けるものとしても構わない。
【００３２】
実施例では、ネットワークを介して配信する画像を管理する画像管理装置２０の形態としたが、画像管理装置２０で行なわれる画像管理方法の形態とするものとしてもよく、コンピュータを画像管理装置２０として機能させるプログラムの形態とするものとしてもよい。プログラムの形態とする場合には、図２の画像登録処理や図５の画像配信処理の各ステップを適当なプログラム言語を用いてプログラミングすればよい。
【００３３】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】画像管理装置２０を含むシステムの構成の概略を示す構成図。
【図２】画像登録処理の一例を示すフローチャート。
【図３】画像登録フォームの一例を示す説明図。
【図４】撮像画像データベースに記憶されるデータの一例を示す図。
【図５】画像配信処理の一例を示すフローチャート。
【図６】表示条件入力画面の一例を示す説明図。
【図７】地図画像表示画面の表示例を示す説明図。
【図８】詳細画像表示画面の表示例を示す説明図。
【符号の説明】
２０  画像管理装置、２２  ＣＰＵ、２３  ＲＯＭ、２４  ＲＡＭ、２６  地図画像データベース、２８  撮像画像データベース、３０  インターネット、４０  携帯電話、４２  カメラ、４３  ＧＰＳ、４４  電子コンパス、４５  ブラウザ、５０ａ，５０ｂ  クライアントコンピュータ、５２ａ，５２ｂ  ブラウザ、６０  プリンタ。
【図１】
2004266636.tif 000003
【図２】
2004266636.tif 000004
【図３】
2004266636.tif 000005
【図４】
2004266636.tif 000006
【図５】
2004266636.tif 000007
【図６】
2004266636.tif 000008
【図７】
2004266636.tif 000009
【図８】
2004266636.tif 000010